(57)【要約】【課題】回路規模の大型化を防ぎつつ、高出力電力においても送信電力の変化を滑らかにし、送信スペクトラムの広がりやスプリアス輻射を抑制すること。【解決手段】始めに、ゲイン制御アンプ１２０のゲインが、滑らかにランプアップされる（ＳＴ１０００）。そして、所定のタイミングにおいて、タイミング制御部１４０は、パワーアンプ１３０を動作させるように制御する。このとき、パワーアンプ１３０の動作開始と同時に、ゲイン制御アンプ１２０のゲインが、パワーアンプ１３０の固定ゲイン値分だけ下げられる（ＳＴ１１００）。その後、パワーアンプ１３０の動作中に、再びゲイン制御アンプ１２０のゲインが滑らかにランプアップされ（ＳＴ１２００）、最終的な出力パワーが所望の送信電力に到達する。【選択図】      図２
2004282594.tif 000002
【特許請求の範囲】
【請求項１】
ゲインを変化させることによって信号電力を増幅または減衰させる第１調整器と、
動作／停止が切り替わることによって固定ゲイン値分だけ信号電力を増幅または減衰させる第２調整器と、
前記第１調整器および前記第２調整器の動作タイミングを制御する制御器と、を有し、
前記制御器は、
前記第２調整器の動作／停止を切り替えると同時に前記第１調整器のゲインを前記固定ゲイン値分だけ非連続に変化させることを特徴とする電力制御装置。
【請求項２】
前記制御器は、
前記第２調整器が動作を開始させると同時に前記第１調整器のゲインを前記固定ゲイン値分だけ非連続に低下させることを特徴とする請求項１記載の電力制御装置。
【請求項３】
前記制御器は、
前記第２調整器の動作／停止を切り替える時以外は、前記第１調整器のゲインを連続に変化させることを特徴とする請求項１記載の電力制御装置。
【請求項４】
前記第１調整器および前記第２調整器によって電力が調整されて得られた信号の無線送信に関するパラメータを取得する取得器、をさらに有し、
前記制御器は、
取得されたパラメータに応じて前記第２調整器の動作／停止を切り替えるタイミングを調整することを特徴とする請求項１記載の電力制御装置。
【請求項５】
前記取得器は、温度、ならびに信号を無線送信するための送信周波数、変調方式、および所望の送信電力からなる群のうち少なくともいずれか一つをパラメータとして取得することを特徴とする請求項４記載の電力制御装置。
【請求項６】
前記第２調整器が実際に動作／停止を切り替えたか否かを監視する監視器、をさらに有し、
前記制御器は、
前記第２調整器が実際に動作／停止を切り替えた場合にのみ、前記第１調整器のゲインを前記固定値分だけ非連続に変化させることを特徴とする請求項１記載の電力制御装置。
【請求項７】
請求項１から請求項６のいずれかに記載の電力制御装置を有することを特徴とする無線通信装置。
【請求項８】
ゲインが可変である第１調整器とゲインが常に一定の固定ゲイン値である第２調整器とを有し、前記第１調整器のゲインの変化および前記第２調整器の動作／停止の切り替えによって信号電力を制御する電力制御装置において用いられる電力制御方法であって、
前記第１調整器のゲインを連続に変化させるステップと、
前記第２調整器の動作／停止を切り替えると同時に前記第１調整器のゲインを前記固定ゲイン値分だけ非連続に変化させるステップと、
前記第１調整器のゲインを再び連続に変化させるステップと、
を有することを特徴とする電力制御方法。
【発明の詳細な説明】
【０００１】
【発明の属する技術分野】
本発明は、電力制御装置および電力制御方法に関し、特に無線通信における送信信号の電力を制御する電力制御装置および電力制御方法に関する。
【０００２】
【従来の技術】
従来、無線通信システムにおいて用いられる送信装置では、送信信号の送信電力を制御するために、利得（ゲイン）を可変制御して入力信号を増幅するゲイン制御アンプと一定のゲインで入力信号を増幅するパワーアンプとの２つのアンプを備える構成が採られることがある（例えば、特許文献１の図１参照）。
【０００３】
ゲイン制御アンプとパワーアンプとを備える送信装置においては、送信電力制御は、ゲイン制御アンプによる利得制御とパワーアンプの動作／停止の制御とを組み合わせて行われる。このとき、ゲイン制御アンプは、ゲインを滑らかに変化させることにより、出力パワーも滑らかに変化させる。一方、パワーアンプは、動作／停止の制御が行われるのみであるため、出力パワーの変化は段階的なものとなる。
【０００４】
このように異なる増幅特性を持つアンプを組み合わせて用いられることにより、出力パワーの変化が一定の基準を逸脱することなく、送信信号の送信電力が所望電力へと増幅される。
【０００５】
具体的には、例えば図８（ａ）〜（ｃ）に示すように、まず、時刻ｔ１において、パワーアンプが動作を開始して一定のゲインで送信信号を増幅し（図８（ｃ））、その後、時刻ｔ１以降は、ゲイン制御アンプがゲインを滑らかに変化させながら送信信号を増幅する（図８（ｂ））。結果として、送信信号の送信電力は図８（ａ）のように変化し、所望電力へ増幅されることになる。
【０００６】
【特許文献１】
特開平５−１７５７７１号公報
【０００７】
【発明が解決しようとする課題】
ところで、特にバースト送信を行う送信装置においては、送信の立ち上がり時または立ち下がり時に送信電力を滑らかに変化させる必要がある。これは、急激な送信電力の変化は、送信スペクトラムの広がりやスプリアス輻射の原因となるためである。
【０００８】
上述した送信装置は、パワーアンプの動作／停止制御により、出力パワーが段階的に変化するため、図８（ａ）に示すように、送信電力の変化は滑らかとはならない。この場合、最終的な送信電力が比較的低ければ、パワーアンプのゲインも比較的低くて済むため、送信スペクトラムの広がりやスプリアス輻射を一定の基準以下に抑えることができる。
【０００９】
しかしながら、最終的な送信電力が高くなると、上述した送信装置では、送信スペクトラムの広がりやスプリアス輻射が、例えば無線通信システムに規定されている基準を満たせないという問題がある。また、この基準を満たすために、パワーアンプをゲインの連続的な制御ができるものにしたり、ゲイン制御アンプのダイナミックレンジを広く取ったり、２つのアンプの前段における送信信号の電力を可変にしたりする構成を採ることが考えられるが、いずれの場合も部品や回路規模の大型化を招くという問題がある。
【００１０】
本発明はかかる点に鑑みてなされたものであり、回路規模の大型化を防ぎつつ、高出力電力においても送信電力の変化を滑らかにし、送信スペクトラムの広がりやスプリアス輻射を抑制することができる電力制御装置および電力制御方法を提供することを目的とする。
【００１１】
【課題を解決するための手段】
本発明の電力制御装置は、ゲインが変化することによって信号電力を増幅または減衰させる第１調整器と、動作／停止が切り替わることによって固定ゲイン値分だけ信号電力を増幅または減衰させる第２調整器と、前記第１調整器および前記第２調整器の動作タイミングを制御する制御器と、を有し、前記制御器は、前記第２調整器の動作／停止を切り替えると同時に前記第１調整器のゲインを前記固定ゲイン値分だけ非連続に変化させる構成を採る。
【００１２】
この構成によれば、動作／停止を切り替えて信号電力を固定ゲイン値分だけ変化させる第２調整器が動作／停止を切り替えると同時に、ゲインを変化させることができる第１調整器のゲインを固定ゲイン値分だけ非連続に変化させるため、第２調整器の動作／停止の切り替えに伴う信号電力の非連続な変化を第１調整器のゲイン変化で相殺することができ、回路規模の大型化を防ぎつつ、高出力電力においても信号電力の変化を滑らかにし、送信スペクトラムの広がりやスプリアス輻射を抑制することができる。
【００１３】
本発明の電力制御装置は、前記制御器は、前記第２調整器が動作を開始させると同時に前記第１調整器のゲインを前記固定ゲイン値分だけ非連続に低下させる構成を採る。
【００１４】
この構成によれば、第２調整器が動作を開始させると同時に第１調整器のゲインを非連続に低下させるため、電力の立ち上がり時における信号電力の非連続な変化を防止することができる。
【００１５】
本発明の電力制御装置は、前記制御器は、前記第２調整器の動作／停止を切り替える時以外は、前記第１調整器のゲインを連続に変化させる構成を採る。
【００１６】
この構成によれば、第２調整器の動作／停止を切り替える時以外は、第１調整器のゲインを連続に変化させるため、最終的な信号電力を常に連続に変化させることができる。
【００１７】
本発明の電力制御装置は、前記第１調整器および前記第２調整器によって電力が調整されて得られた信号の無線送信に関するパラメータを取得する取得器、をさらに有し、前記制御器は、取得されたパラメータに応じて前記第２調整器の動作／停止を切り替えるタイミングを調整する構成を採る。
【００１８】
この構成によれば、無線送信に関するパラメータに応じて第２調整器の動作／停止を切り替えるタイミングを調整するため、外的要因に応じたより適切な電力制御を行うことができる。
【００１９】
本発明の電力制御装置は、前記取得器は、温度、ならびに信号を無線送信するための送信周波数、変調方式、および所望の送信電力からなる群のうち少なくともいずれか一つをパラメータとして取得する構成を採る。
【００２０】
この構成によれば、温度、ならびに信号を無線送信するための送信周波数、変調方式、および所望の送信電力のいずれか一つをパラメータとするため、無線通信において送信電力制御を行う場合、無線通信の状態に応じたより適切な送信電力制御を行うことができる。
【００２１】
本発明の電力制御装置は、前記第２調整器が実際に動作／停止を切り替えたか否かを監視する監視器、をさらに有し、前記制御器は、前記第２調整器が実際に動作／停止を切り替えた場合にのみ、前記第１調整器のゲインを前記固定値分だけ非連続に変化させる構成を採る。
【００２２】
この構成によれば、第２調整器が実際に動作／停止を切り替えたか否かを監視し、実際に切り替えた場合にのみ、第１調整器のゲインを非連続に変化させるため、第２調整器の電源に容量性の負荷が存在するなどの理由によって第２調整器の動作／停止の切り替えが遅延した場合でも、正確なタイミングで第１調整器のゲインを非連続に変化させることができる。
【００２３】
本発明の無線通信装置は、上記のいずれかに記載の電力制御装置を有する構成を採る。
【００２４】
この構成によれば、上記のいずれかに記載の電力制御装置と同様の作用効果を無線通信装置において実現することができる。
【００２５】
本発明の電力制御方法は、ゲインが可変である第１調整器とゲインが常に一定の固定ゲイン値である第２調整器とを有し、前記第１調整器のゲインの変化および前記第２調整器の動作／停止の切り替えによって信号電力を制御する電力制御装置において用いられる電力制御方法であって、前記第１調整器のゲインを連続に変化させるステップと、前記第２調整器の動作／停止を切り替えると同時に前記第１調整器のゲインを前記固定ゲイン値分だけ非連続に変化させるステップと、前記第１調整器のゲインを再び連続に変化させるステップと、を有するようにした。
【００２６】
この方法によれば、動作／停止を切り替えて信号電力を固定ゲイン値分だけ変化させる第２調整器が動作／停止を切り替えると同時に第１調整器のゲインを固定ゲイン値分だけ非連続に変化させ、第２調整器の動作／停止切り替え時以外は、第１調整器のゲインを連続に変化させるため、第２調整器の動作／停止の切り替えに伴う信号電力の非連続な変化を第１調整器のゲイン変化で相殺することができ、回路規模の大型化を防ぎつつ、高出力電力においても信号電力の変化を滑らかにし、送信スペクトラムの広がりやスプリアス輻射を抑制することができる。
【００２７】
【発明の実施の形態】
本発明の骨子は、パワーアンプ停止中にゲイン制御アンプが連続的にゲインを変化させ、その後、パワーアンプの動作開始時にゲイン制御アンプのゲインを一度下げた後、再びゲイン制御アンプによってゲインを連続的に変化させることである。
【００２８】
以下、本発明の実施の形態について、図面を参照して詳細に説明する。
【００２９】
（実施の形態１）
図１は、本発明の実施の形態１に係る電力制御装置の構成を示すブロック図である。図１に示す電力制御装置は、Ｄ／Ａ変換部１００、変調部１１０、ゲイン制御アンプ１２０、パワーアンプ１３０、タイミング制御部１４０、および送信アンテナ１５０を有している。
【００３０】
Ｄ／Ａ変換部１００は、送信データをＤ／Ａ変換する。
【００３１】
変調部１１０は、Ｄ／Ａ変換して得られたアナログ信号を変調し、変調信号を得る。
【００３２】
ゲイン制御アンプ１２０は、タイミング制御部１４０による制御に従って、変調信号を増幅する。ゲイン制御アンプ１２０は、ゲインを連続的に変化させることにより、出力パワーを滑らかに変化させることができる。
【００３３】
パワーアンプ１３０は、タイミング制御部１４０による制御に従って、ゲイン制御アンプ１２０からの出力信号を増幅する。パワーアンプ１３０は、ゲインが固定値（以下、この値を「固定ゲイン値」という）に定められているため、タイミング制御部１４０による制御は、パワーアンプ１３０の動作／停止を切り替えるのみである。すなわち、パワーアンプ１３０は、出力パワーを非連続に変化させる。
【００３４】
タイミング制御部１４０は、ゲイン制御アンプ１２０およびパワーアンプ１３０を制御し、それぞれのアンプを適切なタイミングで動作させる。タイミング制御部１４０によるゲイン制御アンプ１２０およびパワーアンプ１３０の制御方法については、後に詳述する。
【００３５】
送信アンテナ１５０は、ゲイン制御アンプ１２０およびパワーアンプ１３０によって電力が増幅され、所望の送信電力となった送信信号を送信する。
【００３６】
次いで、上記のように構成された電力制御装置における２つのアンプの動作タイミング制御方法について、図２および図３を参照しながら説明する。
【００３７】
まず、送信データはＤ／Ａ変換部１００によってＤ／Ａ変換され、アナログ信号となる。このアナログ信号は、変調部１１０によって変調され、得られた変調信号は、ゲイン制御アンプ１２０へ入力される。
【００３８】
以後、ゲイン制御アンプ１２０およびパワーアンプ１３０は、タイミング制御部１４０によって、図２に示すフロー図に従って制御される。
【００３９】
すなわち、始めに、ゲイン制御アンプ１２０のゲインが、滑らかにランプアップされる（ＳＴ１０００）。そして、所定のタイミングにおいて、タイミング制御部１４０は、パワーアンプ１３０を動作させるように制御する。このとき、パワーアンプ１３０の動作開始と同時に、ゲイン制御アンプ１２０のゲインが、パワーアンプ１３０の固定ゲイン値分だけ下げられる（ＳＴ１１００）。
【００４０】
このように、パワーアンプ１３０の動作開始時に、一度ゲイン制御アンプ１２０のゲインを固定ゲイン値分だけ非連続に下げることにより、パワーアンプ１３０の動作開始に伴って２つのアンプを経た信号の最終的な出力パワーが段階的に変化することを防止することができる。
【００４１】
その後、パワーアンプ１３０の動作中に、再びゲイン制御アンプ１２０のゲインが滑らかにランプアップされ（ＳＴ１２００）、最終的な出力パワーが所望の送信電力に到達する。
【００４２】
これにより、所望の送信電力がゲイン制御アンプ１２０およびパワーアンプ１３０のそれぞれのダイナミックレンジの合計以下であれば、これら２つのアンプがあたかも１つの高出力なゲイン制御アンプのように動作し、最終的な出力パワーを滑らかに変化させることができる。また、このような動作は、従来のゲイン制御アンプおよびパワーアンプの動作タイミングを適切に制御する回路のみを付加的に設ける構成で行われるため、回路規模の大型化を招くことはない。
【００４３】
図３（ａ）〜（ｃ）は、最終的な出力パワー、ゲイン制御アンプ１２０のゲイン、およびパワーアンプ１３０のゲインの時間変化を示す図である。
【００４４】
図３（ｂ）に示すゲイン制御アンプ１２０のゲインは、時刻ｔ１から滑らかに上がっていき、パワーアンプ１３０が動作を開始する時刻ｔ２において、一度パワーアンプ１３０の固定ゲイン値分だけ非連続に下がっている。そして、同じ時刻ｔ２において、パワーアンプ１３０が動作を開始し、図３（ｃ）に示すようにゲインが非連続に上がっている。したがって、２つのアンプの非連続なゲインの変化が相殺しあい、最終的な出力パワーは、図３（ａ）に示すように、時刻ｔ２においても段階的に変化することがない。
【００４５】
時刻ｔ２以降は、パワーアンプ１３０のゲインは、固定ゲイン値で一定である一方（図３（ｃ））、ゲイン制御アンプ１２０のゲインは、再び滑らかに上がっていく（図３（ｂ））。
【００４６】
これにより、２つのアンプを経た最終的な出力パワーは、図３（ａ）に示すように、常に滑らかに変化して所望の送信電力に到達することになる。
【００４７】
このように、本実施の形態によれば、パワーアンプの停止中に、ゲイン制御アンプのゲインを滑らかに変化させ、パワーアンプの動作を開始させる時点で、ゲイン制御アンプのゲインをパワーアンプの固定ゲイン値分だけ下げ、その後、再びゲイン制御アンプのゲインを滑らかに変化させるため、回路規模の大型化を防ぎつつ、高出力電力においても送信電力の変化を滑らかにし、送信スペクトラムの広がりやスプリアス輻射を抑制することができる。
【００４８】
（実施の形態２）
本発明の実施の形態２の特徴は、例えば温度や所望の送信電力など、電力制御に関連するパラメータに応じて、ゲイン制御アンプおよびパワーアンプの動作タイミングを調整する点である。
【００４９】
図４は、本発明の実施の形態２に係る電力制御装置の構成を示すブロック図である。同図に示す電力制御装置において、図１に示す電力制御装置と同じ部分には同じ符号を付し、その説明を省略する。図４に示す電力制御装置は、Ｄ／Ａ変換部１００、変調部１１０、ゲイン制御アンプ１２０、パワーアンプ１３０、タイミング制御部１４０ａ、送信アンテナ１５０、およびパラメータ出力部２００を有している。
【００５０】
パラメータ出力部２００は、例えば温度、送信周波数、変調方式、および所望の送信電力などのパラメータをタイミング制御部１４０ａへ出力する。
【００５１】
タイミング制御部１４０ａは、パラメータ出力部２００から出力されるパラメータに応じて、パワーアンプ１３０の動作開始タイミングを調整する。また、タイミング制御部１４０ａは、調整されたパワーアンプ１３０の動作開始タイミングまではゲイン制御アンプ１２０を制御する。その他の動作は、実施の形態１と同様である。
【００５２】
このように、本実施の形態によれば、電力制御に関連するパラメータに応じてパワーアンプの動作開始タイミングを調整するため、より適切に送信電力制御を行うことができる。
【００５３】
（実施の形態３）
本発明の実施の形態３の特徴は、パワーアンプの動作状態を監視することにより、ゲイン制御アンプのゲインを下げるタイミングとパワーアンプの動作開始タイミングがずれることを防止する点である。
【００５４】
図５は、本発明の実施の形態３に係る電力制御装置の構成を示すブロック図である。同図に示す電力制御装置において、図１に示す電力制御装置と同じ部分には同じ符号を付し、その説明を省略する。図５に示す電力制御装置は、Ｄ／Ａ変換部１００、変調部１１０、ゲイン制御アンプ１２０、パワーアンプ１３０、タイミング制御部１４０ｂ、送信アンテナ１５０、および監視部３００を有している。
【００５５】
監視部３００は、パワーアンプ１３０の動作状態を監視し、パワーアンプ１３０が動作を開始すると、その旨をタイミング制御部１４０ｂへ通知する。
【００５６】
タイミング制御部１４０ｂは、監視部３００からパワーアンプ１３０の動作開始を通知されると、ゲイン制御アンプ１２０のゲインを固定ゲイン値分だけ下げる。
【００５７】
実施の形態１において、パワーアンプ１３０の電源に容量性の負荷が存在する場合、タイミング制御部１４０が所定のタイミングでパワーアンプ１３０を動作させるように制御しても、実際の動作開始は遅延する可能性がある。動作開始が遅延するにもかかわらず、ゲイン制御アンプ１２０のゲインを固定ゲイン値分だけ下げてしまうと、最終的な出力パワーは大きく変動してしまうことになる。
【００５８】
したがって、本実施の形態においては、監視部３００がパワーアンプ１３０の動作状態を監視することにより、パワーアンプ１３０が実際に動作開始する時点でゲイン制御アンプ１２０のゲインを固定ゲイン値分だけ下げるようにする。
【００５９】
次いで、上記のように構成された電力制御装置における２つのアンプの動作タイミング制御方法について、図６および図７を参照しながら説明する。
【００６０】
まず、送信データはＤ／Ａ変換部１００によってＤ／Ａ変換され、アナログ信号となる。このアナログ信号は、変調部１１０によって変調され、得られた変調信号は、ゲイン制御アンプ１２０へ入力される。
【００６１】
以後、ゲイン制御アンプ１２０およびパワーアンプ１３０は、タイミング制御部１４０ｂによって、図６に示すフロー図に従って制御される。なお、同図に示すフロー図において、図２に示すフロー図と同じ部分には同じ符号を付す。
【００６２】
始めに、ゲイン制御アンプ１２０のゲインが、パワーアンプ１３０の固定ゲイン値まで滑らかにランプアップされる（ＳＴ１０００）。そして、所定のタイミングにおいて、タイミング制御部１４０ｂは、パワーアンプ１３０を動作させるように制御する。
【００６３】
このとき、監視部３００によって、パワーアンプ１３０が実際に動作を開始したか否かが監視され（ＳＴ２０００）、動作を開始していなければ、引き続きゲイン制御アンプ１２０によってゲインが滑らかにランプアップされる。一方、パワーアンプ１３０が実際に動作を開始すれば、ゲイン制御アンプ１２０のゲインが、パワーアンプ１３０の固定ゲイン値分だけ下げられる（ＳＴ２１００）。
【００６４】
その後、パワーアンプ１３０の動作中に、再びゲイン制御アンプ１２０のゲインが滑らかにランプアップされ（ＳＴ１２００）、最終的な出力パワーが所望の送信電力に到達する。
【００６５】
このように、パワーアンプ１３０の動作状態を監視し、パワーアンプ１３０が実際に動作し始めるまでは、ゲイン制御アンプ１２０が滑らかなランプアップを行うため、たとえパワーアンプ１３０の動作開始が遅延した場合でも、最終的な出力パワーが段階的に変化することはない。
【００６６】
図７（ａ）〜（ｃ）は、最終的な出力パワー、ゲイン制御アンプ１２０のゲイン、およびパワーアンプ１３０のゲインの時間変化を示す図である。
【００６７】
図７（ｂ）に示すゲイン制御アンプ１２０のゲインは、時刻ｔ１から滑らかに上がっていき、タイミング制御部１４０ｂがパワーアンプ１３０の動作を開始させるように制御する時刻ｔ２後も、時刻ｔ２’までは滑らかに上がっていく。これは、図７（ｃ）に示すように、パワーアンプ１３０は、タイミング制御部１４０ｂがパワーアンプ１３０の動作を開始させるように制御する時刻ｔ２においても、実際には動作を開始しておらず、時刻ｔ２’においてパワーアンプ１３０が動作を開始するため、時刻ｔ２から時刻ｔ２’の間は、引き続きゲイン制御アンプ１２０がゲインを滑らかに上げるように制御されるためである。したがって、最終的な出力パワーは、図７（ａ）に示すように、時刻ｔ２および時刻ｔ２’においても段階的に変化することがない。
【００６８】
時刻ｔ２’以降は、パワーアンプ１３０のゲインは、固定ゲイン値で一定である一方（図７（ｃ））、ゲイン制御アンプ１２０のゲインは、再び滑らかに上がっていく（図７（ｂ））。
【００６９】
これにより、２つのアンプを経た最終的な出力パワーは、図７（ａ）に示すように、常に滑らかに変化して所望の送信電力に到達することになる。
【００７０】
このように、本実施の形態によれば、パワーアンプの動作状態を監視し、パワーアンプが実際に動作するまではゲイン制御アンプによってゲインを滑らかに変化させ、パワーアンプが実際に動作し始めた時点で、ゲイン制御アンプのゲインを固定ゲイン値分だけ下げ、その後、再びゲイン制御アンプのゲインを滑らかに変化させるため、ゲイン制御アンプおよびパワーアンプの動作タイミングを正確に切り替えることができ、回路規模の大型化を防ぎつつ、高出力電力においても送信電力の変化を滑らかにし、送信スペクトラムの広がりやスプリアス輻射を抑制することができる。
【００７１】
なお、上記実施の形態においては、送信電力の立ち上がり時について説明したが、本発明はこれに限定されず、送信電力の立ち下がり時にも適用することができる。
【００７２】
具体的には、まず、ゲイン制御アンプのゲインを滑らかに下げた後、パワーアンプの動作を停止すると同時にゲイン制御アンプのゲインをパワーアンプの固定ゲイン値分だけ上げる。その後、再びゲイン制御アンプのゲインをランプダウンさせるようにすれば良い。
【００７３】
【発明の効果】
以上説明したように、本発明によれば、回路規模の大型化を防ぎつつ、高出力電力においても送信電力の変化を滑らかにし、送信スペクトラムの広がりやスプリアス輻射を抑制することができる。
【図面の簡単な説明】
【図１】本発明の実施の形態１に係る電力制御装置の構成を示すブロック図
【図２】実施の形態１に係る電力制御装置の動作を示すフロー図
【図３】実施の形態１における電力の時間変化の例を示す図
【図４】本発明の実施の形態２に係る電力制御装置の構成を示すブロック図
【図５】本発明の実施の形態３に係る電力制御装置の構成を示すブロック図
【図６】実施の形態３に係る電力制御装置の動作を示すフロー図
【図７】実施の形態３における電力の時間変化の例を示す図
【図８】従来の送信装置における電力の時間変化の例を示す図
【符号の説明】
１００  Ｄ／Ａ変換部
１１０  変調部
１２０  ゲイン制御アンプ
１３０  パワーアンプ
１４０、１４０ａ、１４０ｂ  タイミング制御部
１５０  送信アンテナ
２００  パラメータ出力部
３００  監視部
【図１】
2004282594.tif 000003
【図２】
2004282594.tif 000004
【図３】
2004282594.tif 000005
【図４】
2004282594.tif 000006
【図５】
2004282594.tif 000007
【図６】
2004282594.tif 000008
【図７】
2004282594.tif 000009
【図８】
2004282594.tif 000010